(57)【特許請求の範囲】
【請求項１】
プレアンブル部とそれに続くパケット部とからなるバーストディジタル光信号を受信し、電気信号に変換する光電変換素子、この光電変換素子の出力を増幅する増幅器、この増幅器の出力する信号のハイレベルピークを検出するハイレベルピーク検波回路、上記増幅器の出力する信号のローレベルピークを検出するローレベルピーク検波回路、上記プレアンブル部の最後の部分で上記ハイレベルピーク検波回路の出力をＡ／Ｄ変換する第１のＡ／Ｄ変換器、上記プレアンブル部の最後の部分で上記ローレベルピーク検波回路の出力をＡ／Ｄ変換する第２のＡ／Ｄ変換器、上記第１及び第２のＡ／Ｄ変換器の出力するディジタル値信号から両ディジタル値の中間値を演算する演算器、この演算器の出力をＤ／Ａ変換するＤ／Ａ変換器、及び上記増幅器の出力と上記Ｄ／Ａ変換器の出力を比較する識別器を備え、該識別器は上記第１及び第２のＡ／Ｄ変換器の出力する上記プレアンブル部の最後の部分におけるディジタル値信号に基づくＤ／Ａ変換器の出力と上記プレアンブル部に続くパケット部における上記増幅器の出力とを比較することを特徴とするバースト光受信器。
【請求項２】
Ｄ／Ａ変換器は、当該バーストディジタル光信号の次のバーストディジタル光信号におけるプレアンブルの最後の部分を受信するまで当該バーストディジタル光信号での演算器の出力をＤ／Ａ変換して出力し、識別器は当該バーストディジタル光信号及び次のバーストディジタル光信号間で増幅器の出力と上記Ｄ／Ａ変換器の出力とを比較することを特徴とする請求項１に記載のバースト光受信器。
【請求項３】
プレアンブル部とそれに続くパケット部とからなるバーストディジタル光信号を受信し、電気信号に変換する光電変換素子、この光電変換素子の出力信号を増幅する増幅器、この増幅器の出力を積分する積分器、上記プレアンブル部の最後の部分で上記積分器の出力をＡ／Ｄ変換してディジタル値で保持する保持回路、この保持回路で保持したディジタル値をＤ／Ａ変換したアナログ信号と上記増幅器の出力を比較する識別器を備え、該識別器は上記保持回路で保持したディジタル値をＤ／Ａ変換したアナログ信号と上記プレアンブル部に続くパケット部における上記増幅器の出力とを比較することを特徴とするバースト光受信器。
【請求項４】
保持回路は、当該バーストディジタル光信号と次のバーストディジタル光信号におけるプレアンブルの最後の部分を受信するまで当該バーストディジタル光信号での積分器の出力をＡ／Ｄ変換してディジタル値で保持し、識別器は当該バーストディジタル光信号及び次のバーストディジタル光信号間で増幅器の出力と保持回路で保持したディジタル値をＤ／Ａ変換したアナログ信号とを比較することを特徴とする請求項３に記載のバースト光受信機。
【発明の詳細な説明】
【０００１】
【発明の属する技術分野】
この発明は、例えは、ＡＴＭ−ＰＯＮ（Ｐａｓｓｉｖｅ  Ｏｐｔｉｃａｌ  Ｎｅｔｗｏｒｋ）システムに用いられるバースト光受信器に関するものである。
【０００２】
【従来の技術】
光加入者伝送システムを経済的に実現する手段として、１つの局から延長された伝送路を途中で分岐して複数の加入者へサービスを提供するＰＯＮシステムが提案されている。ＰＯＮシステムでは、加入者から局へ送信される信号は時分割多元接続（ＴＤＭＡ：Ｔｉｍｅ  Ｄｉｖｉｓｉｏｎ  Ｍｕｌｔｉｐｌｅ  Ａｃｃｅｓｓ）によって多重化されており、局側で受信される信号は加入者毎に強度が変化するバースト信号になる。即ち、各加入者の送信する信号強度が同じであったとしても、加入者と局管の距離が異なり、伝送ロスが異なるから局では加入者毎に強度が異なった信号を受信することになる。
【０００３】
従って、局側では、受信した信号の論理レベル１又は０を識別するために、加入者毎に識別のための閾値を変える必要がある。
【０００４】
図１２は、例えば特開平９−１８１６８７号公報に記載された従来のバースト光受信器の構成を示すブロック図であり、１は加入者側から送信されてくるバースト光信号を受信し、該光信号を電流信号に変換するｐｉｎフォトダイオード等の光電変換素子、２はこの光電変換素子の出力する電流信号を電圧信号に変換すると共に、増幅するプリアンプ、３１はこのプリアンプの出力する差動信号の正相出力を入力し、そのピーク値をホールドするピーク検波回路、３２は上記プリアンプ２の出力する差動信号の逆相出力を入力し、そのピーク値をホールドするピーク検波回路、３４は上記プリアンプ２及びピーク検波回路３２の出力を入力し、ピーク検波回路３２の出力によりプリアンプ２の正相出力のオフセット電圧を最適化する平均値回路、３５は上記プリアンプ２及びピーク検波回路３１の出力を入力し、ピーク検波回路３１の出力によりプリアンプ２の逆相出力のオフセット電圧を最適化する平均値回路、４は平均値回路３４及び３５の出力を入力し、受信信号の論理レベル１又は０を識別する識別器である。
【０００５】
次に上述のように構成された従来技術の動作について説明する。
【０００６】
加入者側から送られてきたバースト光信号は光電変換素子１により光／電気変換され、電流信号としてプリアンプ２へ出力される。プリアンプ２では電流信号を信号処理しやすい電圧信号に変換するとともに所定レベルに増幅して、差動出力の正相出力をピーク検波回路３１及び平均値回路３４に出力し、逆相出力をピーク検波回路３２及び平均値回路３５に出力する。ピーク検波回路３１及び３２はプリアンプ２からそれぞれ入力した正相出力及び逆相出力をピークホールドし、平均値回路３５及び３４へ出力する。
【０００７】
平均値回路３４ではピーク検波回路３２の出力によりオフセット電圧を最適化してプリアンプ２から入力した正相出力を識別器４に入力し、同様に、平均値回路３５はピーク検波回路３１の出力によりオフセット電圧を最適化してプリアンプ２から入力した逆相出力を識別器４に入力する。
【０００８】
識別器４は平均値回路３４及び３５から入力した正相及び逆相出力を比較し、光電変換素子１が受信した加入者側からの受信信号の論理レベル１又は０を識別する。
【０００９】
即ち、光電変換素子１の受信する加入者側からのバースト光信号は加入者によって信号強度が異なっているが、平均値回路３４及び３５でオフセット電圧を最適化することにより、同一レベルの正相出力及び逆相出力が識別器４に入力され、バースト光信号の信号強度に拘わらず、最適な信号レベルで論理レベルの識別が可能になる。
【００１０】
【発明が解決しようとする課題】
しかしながら、上述した従来技術のバースト光受信器は、以下に詳述するような問題点があった。
【００１１】
図１３は一つのバーストパケットを受信しているときのプリアンプ２の出力とピーク検波回路３１又は３２のピーク検波の状態を示している。
【００１２】
一つのバーストパケットはプレアンブル部と、それに続く、送信したい本来の情報が載せられたパケット部とが有り、ピーク検波回路３１及び３２はプレアンブル部で内部のコンデンサを充電することにより、プレアンブル後半でピーク値をホールドしている。
【００１３】
図１３のバーストパケット信号はバーストの途中で同一符号を連続している場合を示したものであり、プリアンプ２の出力信号が途中から０出力の連続になっている。この場合、ピーク検波回路３１及び３２はコンデンサの保持電荷が自然放電してしまい、正しいピーク電圧を保持できなくなる。この結果、平均値回路３４及び３５ではオフセット電圧の最適化ができなくなり、後段の識別器４での識別が困難になってしまう。
【００１４】
これを防ぐために、ピーク検波回路３１及び３２に使用するコンデンサの容量を大きくすることが考えられるが、コンデンサの容量を大きくすると充電時間が長くなってしまうため、プレアンブルを長時間必要としてデータ伝送効率が低下してしまう。
【００１５】
一方、図１４のように信号強度の高いバーストパケットに引き続いて信号強度の低いバーストパケットを受信した場合には、コンデンサの容量が大きいと信号強度の低いバーストパケットを受信するまでに充分に放電ができていないため、ピーク検波回路３１及び３２で正確なピーク検波ができず、平均値回路３４及び３５でのオフセット電圧の最適化ができなくなる。このため、各バーストパケット間で強制的にコンデンサを放電させるリセット信号を発生するする必要があり、そのためのリセット回路を別途設ける必要があった。
【００１６】
従来のバースト光受信器は、以上のようにデータ伝送効率が非効率であるばかりでなく、回路構成が複雑になる問題点があった。
【００１７】
この発明は、上述のような従来の課題に鑑みてなされたものであり、データ伝送効率が良く、回路構成を簡単にできるバースト光受信器を得ることを目的としている。
【００１８】
【課題を解決するための手段】
この発明の請求項１に係るバースト光受信器は、プレアンブル部とそれに続くパケット部とからなるバーストディジタル光信号を受信し、電気信号に変換する光電変換素子、この光電変換素子の出力を増幅する増幅器、この増幅器の出力する信号のハイレベルピークを検出するハイレベルピーク検波回路、上記増幅器の出力する信号のローレベルピークを検出するローレベルピーク検波回路、上記プレアンブル部の最後の部分で上記ハイレベルピーク検波回路の出力をＡ／Ｄ変換する第１のＡ／Ｄ変換器、上記プレアンブル部の最後の部分で上記ローレベルピーク検波回路の出力をＡ／Ｄ変換する第２のＡ／Ｄ変換器、上記第１及び第２のＡ／Ｄ変換器の出力するディジタル値信号から両ディジタル値の中間値を演算する演算器、この演算器の出力をＤ／Ａ変換するＤ／Ａ変換器、及び上記増幅器の出力と上記Ｄ／Ａ変換器の出力を比較する識別器を備え、該識別器は上記第１及び第２のＡ／Ｄ変換器の出力する上記プレアンブル部の最後の部分におけるディジタル値信号に基づくＤ／Ａ変換器の出力と上記プレアンブル部に続くパケット部における上記増幅器の出力とを比較ように構成したものである。
【００１９】
この発明の請求項２に係るバースト光受信器は、請求項１におけるバースト光受信器であって、Ｄ／Ａ変換器は、当該バーストディジタル光信号の次のバーストディジタル光信号におけるプレアンブルの最後の部分を受信するまで当該バーストディジタル光信号での演算器の出力をＤ／Ａ変換して出力し、識別器は当該バーストディジタル光信号及び次のバーストディジタル光信号間で増幅器の出力と上記Ｄ／Ａ変換器の出力とを比較するようにしたものである。
【００２０】
この発明の請求項３に係るバースト光受信器は、プレアンブル部とそれに続くパケット部とからなるバーストディジタル光信号を受信し、電気信号に変換する光電変換素子、この光電変換素子の出力信号を増幅する増幅器、この増幅器の出力を積分する積分器、上記プレアンブル部の最後の部分で上記積分器の出力をＡ／Ｄ変換してディジタル値で保持する保持回路、この保持回路で保持したディジタル値をＤ／Ａ変換したアナログ信号と上記増幅器の出力を比較する識別器を備え、該識別器は上記保持回路で保持したディジタル値をＤ／Ａ変換したアナログ信号と上記プレアンブル部に続くパケット部における上記増幅器の出力とを比較するように構成したものである。
【００２１】
この発明の請求項４に係るバースト光受信器は、請求項３におけるバースト光受信機であって、保持回路は、当該バーストディジタル光信号と次のバーストディジタル光信号におけるプレアンブルの最後の部分を受信するまで当該バーストディジタル光信号での積分器の出力をＡ／Ｄ変換してディジタル値で保持し、識別器は当該バーストディジタル光信号及び次のバーストディジタル光信号間で増幅器の出力と保持回路で保持したディジタル値をＤ／Ａ変換したアナログ信号とを比較するようにしたものである。
【００２２】
【発明の実施の形態】
実施の形態１．
以下、この発明の実施の形態１を図に基づいて説明する。
【００２３】
図１は、この発明の実施の形態１に係るバースト光受信器の回路構成を示すブロック図であり、１は光電変換素子、２はプリアンプ、３１はこのプリアンプの出力する信号のハイレベルピークを検出するハイレベルピーク検波回路、３２は上記プリアンプ２の出力する信号のローレベルピークを検出するローレベルピーク検波回路、５１は上記ハイレベルピーク検波回路３１の出力をＡ／Ｄ変換するＡ／Ｄ変換器、５２は上記ローレベルピーク検波回路３２の出力をＡ／Ｄ変換するＡ／Ｄ変換器、６は上記Ａ／Ｄ変換器５１及び５２の出力するデジタル値を入力し、それらの中間値を演算・記憶保持する演算器としての中点電位計算器、７はこの中点電位計算器の出力をＤ／Ａ変換するＤ／Ａ変換器、４はこのＤ／Ａ変換器の出力を閾値としてプリアンプ２の出力を識別する識別器である。
【００２４】
即ち、加入者側から送信されたバースト光信号は、光電変換素子１により光／電気変換され、電流信号としてプリアンプ２に入力される。プリアンプ２は入力された電流信号を電圧信号に変換すると共に、所定レベルに増幅し、出力する。
【００２５】
プリアンプ２の出力はハイレベルピーク検波回路３１及びローレベルピーク検波回路３２に入力され、それぞれプリアンプ２出力のハイレベルピーク及びローレベルピークを検波する。Ａ／Ｄ変換器５１及び５２はハイレベルピーク検波回路３１及びローレベルピーク検波回路３２の出力するハイレベルピーク及びローレベルピークを加入者側から送信されるバースト信号のプリアンブル部の最後にＡ／Ｄ変換して中点電位計算器６に出力し、該中点電位計算器６ではＡ／Ｄ変換器５１及び５２の出力するディジタル信号の中間値を演算する。
【００２６】
中点電位計算器６の出力はＤ／Ａ変換器７でアナログ信号に変換され、識別器４に入力される。識別器４はプリアンプ２の出力と、Ｄ／Ａ変換器７出力するプリアンプ２出力の中間値に相当する信号とを入力しており、プリアンプ２の出力とＤ／Ａ変換器７の出力とを比較することにより、光電変換素子１が受信した加入者側からの受信信号の論理レベル１又は０を識別する。
【００２７】
図２は図１のバースト光受信器における各部の波形を示したものであり、プリアンプ２の出力するバーストパケットに連続して同符号が現れた状態を示している。
【００２８】
この場合、Ａ／Ｄ変換器５１及び５２はプレアンブル即ち、前パケットの最後の部分でハイレベルピーク検波回路３１及びローレベルピーク検波回路３２の出力Ａ／Ｄ変換するので、中点電位計算器６が演算し、記憶保持する中間値はその時点の中間値であり、Ｄ／Ａ変換器７の出力は本パケット受信中、所定の中間値レベルに保持される。従って、バーストパケットの本パケット中で同符号が連続した場合に、図示のようにハイレベルピーク検波回路３１のコンデンサが自然放電し、その出力が低下したとしても、識別器４はＤ／Ａ変換器７から所定の中間値レベルの信号を入力しているので、プリアンプ２の出力から受信信号の論理レベル１又は０を正確に識別することができる。
【００２９】
ここで、従来のバースト光受信器ではコンデンサの自然放電の影響を少なくするため、コンデンサの容量を大きくしていたが、この発明の実施の形態１に係るバースト光受信器ではコンデンサの自然放電の影響を受けない。従って、ハイレベルピーク検波回路３１及びローレベルピーク検波回路３２のコンデンサ容量を小さくできるので、プレアンブルを長くとる必要がなく、かつ、コンデンサのリセット回路を設ける必要もなくなる。
【００３０】
図３はこの動作を説明するための波形図であり、連続してバーストパケットを受信したときの状態を示している。図において、ハイレベルピーク検波回路３１及びローレベルピーク検波回路３２のコンデンサ容量を小さな値にしているので、バーストパケット受信直後のプリアンブル部で急速にハイレベル検波及びローレベル検波がなされている。また、一つ目のバーストパケットの受信が終わって次のバーストパケットを受信するまでの間で、ハイレベルピーク検波回路３１及びローレベルピーク検波回路３２のコンデンサは完全に自然放電しているので、コンデンサをリセットする回路を省略することができる。
【００３１】
また、Ｄ／Ａ変換器７の出力は次のバーストパケットのプレアンブル最後まで前のバーストパケットの中間値を出力し続けるので、バーストパケット間の論理値を‘０’に固定することができる。
【００３２】
次に、ＰＯＮシステムでは局と各加入者との距離が不定であり、送受信を開始するにあたり、局側から所定の信号を加入者へ送信し、折り返し加入者側から応答を局へ返信することにより、レンジングを行っている。
【００３３】
この実施の形態１に係るバースト光受信器では、このレンジングを効率よく正確に測定することが可能である。
【００３４】
図４はこのレンジング動作を示した波形図である。即ち、レンジング開始前に光オフレベルをＡ／Ｄ変換器５１及び５２でＡ／Ｄ変換し中点電位計算器６で中間値を演算し、その中間値に数ミリボルトのオフセットを付加してＤ／Ａ変換器７から出力させておく。局側から所定信号を送信してレンジングを開始すると、その後加入者側からの応答が返ってくるが、Ｄ／Ａ変換器は光オフレベルの中間値に若干のオフセットを付加した信号を出力しているので、識別器４はプリアンプ２から加入者側の応答を入力した時点でその信号を識別できる。
【００３５】
加入者側の応答受信後、ハイレベルピーク検波回路３１及びローレベルピーク検波回路３２のピーク検波が完了する時間が経過すると、中点段位計算器６で中間値を演算し、識別器４が識別を開始する。
【００３６】
この実施の形態１では加入者側からの応答受信時点を正確に知ることができるからレンジングを効率よく正確に測定することが可能である。
実施の形態２．
図５はこの発明の実施の形態２に係るバースト光受信器の回路構成を示すブロック図である。
【００３７】
図において、１は光電変換素子、２はプリアンプ、３３はこのプリアンプの出力を積分する積分回路であり、プリアンプ２の中点電位、即ち中間値を出力する。５１はこの積分回路３３の出力をＡ／Ｄ変換するＡ／Ｄ変換器、６は演算部であり、該Ａ／Ｄ変換器の出力を記憶保持する。７はこの演算部６の記憶保持しているデジタル値をアナログ信号に変換するＤ／Ａ変換器、４はこのＤ／Ａ変換器の出力と上記プリアンプ２の出力とを入力し、光電変換素子１が受信した加入者側からの受信信号の論理レベル１又は０を識別する識別器である。
【００３８】
なお、Ａ／Ｄ変換器５１、演算部５１、及びＤ／Ａ変換器７で保持回路を構成する。
【００３９】
即ち、加入者側から送信されたバースト光信号は、光電変換素子１により光／電気変換され、電流信号としてプリアンプ２に入力される。プリアンプ２は入力された電流信号を電圧信号に変換すると共に、所定レベルに増幅し、出力する。
【００４０】
プリアンプ２の出力は積分器３３に入力され、積分されることにより、中点電位となる。この中点電位はＡ／Ｄ変換器５１でディジタル信号に変換され、さらに、演算部６で記憶保持される。Ｄ／Ａ変換器７はこの演算部６で記憶保持されたデジタル信号をＤ／Ａ変換して識別器４に入力する。識別器４はプリアンプ２の出力を入力しており、Ｄ／Ａ変換器７の出力と比較することにより、光電変換素子１が受信した加入者側からの受信信号の論理レベル１又は０を識別する。
【００４１】
この実施の形態２では積分回路３３を用いており、該積分回路３３はプリアンプ２出力のハイレベルとローレベルのほぼ中間値を出力できる。従って、実施の形態１のバースト光受信器と比べピーク検波回路３１及び３２が不要になると共に、Ａ／Ｄ変換器が一つで済むメリットがある。
【００４２】
また、図６に示すようにプリアンプ２の出力にオーバーシュートがあるような場合でも積分回路３３は殆どその影響を受けることがなく、中間値を出力することができる。
【００４３】
また、図７に示すように、プリアンプ２出力のパルスデューティが歪んでいる場合、積分器３３の出力は中点電位からずれることにより、識別器４出力のパルスデューティを補正することもできる。
【００４４】
次に、図８により各部の動作を説明する。図８は図５に示すバースト光受信器の各部の波形を示したものであり、プリアンプ２の出力するバーストパケットに連続して同符号が現れた状態を示している。
【００４５】
即ち、バーストパケットのプレアンブル部で積分回路３３はプリアンプ２出力を積分することにより、その出力が急速に中間値収束していく。Ａ／Ｄ変換器５１は積分回路３３の出力がプリアンプ２出力の中間値に収束したプレアンブルの最後で積分器３３出力をＡ／Ｄ変換し、演算部６に記憶保持させる。Ｄ／Ａ変換器７は演算部６に記憶保持されたディジタル値をＤ／Ａ変換して識別器４に出力し、プリアンプ２の出力を識別させる。
【００４６】
図８に示すように、プリアンプ２の出力するバーストパケットに同符号が連続した場合、積分器３３出力は自然放電していく。しかし、識別器４に入力するＤ／Ａ変換器７の出力は演算部６に記憶保持された中間値であり、積分器３３の出力の如何にかかわらず、正確に識別動作を行うことができる。
【００４７】
従って、積分器３３を構成するコンデンサの容量を小さくすることができ、プレアンブルを長くとる必要がなく、かつ、コンデンサのリセット回路を設ける必要もなくなる。
【００４８】
図９はこの動作を説明するための波形図であり、連続してバーストパケットを受信したときの状態を示している。
図において、積分器３３のコンデンサ容量を小さな値にしているので、バーストパケット受信直後のプリアンブル部で急速に中間値に収束している。また、一つ目のバーストパケットの受信が終わって次のバーストパケットを受信するまでの間で、積分器３３のコンデンサは完全に自然放電しているので、コンデンサをリセットする回路を省略することができる。
【００４９】
また、Ｄ／Ａ変換器７の出力は次のバーストパケットのプレアンブル最後まで前のバーストパケットの中間値を出力し続けるので、バーストパケット間の論理値を‘０’に固定することができる。
【００５０】
また、光オフレベル時の積分器３３の出力に若干のオフセットを付加した値を演算部６に記憶保持させておくことにより、上記実施の形態１と同様に正確なレンジングが可能になる。
【００５１】
なお、上記実施の形態ではバーストパケット長が固定のＡＴＭ−ＰＯＮに適用した例について説明したが、この発明はバーストパケット長が固定でない光イーサーネット通信方式にも適用可能である。
【００５２】
図１０は図５のバースト光受信器を光イーサーネット通信方式に適用した場合の波形図である。また、図１１はその動作フローチャートである。
【００５３】
光イーサーネット通信方式はバーストパケット長が固定でないため、どのタイミングでバーストパケットがくるのか予め予測できないが、その代わりにＢＯＦ（Ｂｅｇｉｎｎｉｎｇ  Ｏｆ  Ｆｉｌｅ）とＥＯＦ（Ｅｎｄ  Ｏｆ  Ｆｉｌｅ）が伝送されてくる。これらの信号を検出することにより、上述のＡＴＭ−ＰＯＮに適用した場合と同様の効果を得ることができる。
【００５４】
以下、図１０及び図１１を参照しながら、光イーサーネット通信方式に適用した場合を説明する。
【００５５】
▲１▼初期状態
バーストパケット間の光オフレベル時、積分回路３３の出力をＡ／Ｄ変換しつづけ、演算部６で数ミリボルトのオフセットを付加し、Ｄ／Ａ変換器７を介して識別器に入力する。これにより、上述のレンジング動作時と同様に、バーストパケット間における識別器４の出力論理を‘０’に固定できると共に、光信号を受信した瞬間を検出できる。
【００５６】
▲２▼プレアンブル部
初期状態において、光を受信したことを検出すると、演算部６はオフセットを付加するのを止めてＡ／Ｄ変換器５１の出力をそのままＤ／Ａ変換器７へ出力し、識別器４出力のパルスデューティが最適となるような電位をこのプレアンブル部の間で収束させる。
【００５７】
▲３▼ＢＯＦ部
識別器４出力のパルスデューティが最適化され、ＢＯＦが検出されると、Ａ／Ｄ変換器５１はＡ／Ｄ変換を止め、演算部６はその時点の値をディジタル的に保持する。
【００５８】
▲４▼バーストパケットデータ部
識別器４はＤ／Ａ変換器７の出力により、プリアンプ２の出力を識別し、光電変換素子１が受信した加入者側からの受信信号の論理レベル１又は０を識別する。
【００５９】
▲５▼ＥＯＦ部
ＥＯＦを検出すると再びＡ／Ｄ変換器５１はＡ／Ｄ変換（サンプリング）を開始し、上記初期状態の戻る。
【００６０】
この動作を繰り返すことにより、この発明のバースト光受信器は光イーサーネット通信方式にも適用が可能になる。
【００６１】
【発明の効果】
以上述べたように、この発明の第１の発明によれば、バーストディジタル光信号を受信する光電変換素子の出力を増幅する増幅器が出力する信号のハイレベルピークとローレベルピークの中間値をディジタル的に演算し、該中間値に基づいて上記バーストディジタル光信号の論理レベルを識別するようにしたので、データ伝送効率が良く、回路構成を簡単にできるバースト光受信器を得ることができる効果がある。
【００６２】
また、この発明の第２の発明によれば、バーストディジタル光信号を受信する光電変換素子の出力を増幅する増幅器が出力する信号を積分する積分器を設け、該積分器の出力に基づいて上記バーストディジタル光信号の論理レベルを識別するようにしたので、データ伝送効率が良く、回路構成を簡単にできるバースト光受信器を得ることができる効果がある。
【図面の簡単な説明】
【図１】  この発明の実施の形態１に係るバースト光受信器の回路構成を示すブロック図である。
【図２】  この発明の実施の形態１に係るバースト光受信器における各部の波形を示した波形図である。
【図３】  この発明の実施の形態１に係るバースト光受信器における各部の波形を示した波形図である。
【図４】  この発明の実施の形態１に係るバースト光受信器におけるレンジング動作を示した波形図である。
【図５】  この発明の実施の形態２に係るバースト光受信器の回路構成を示すブロック図である。
【図６】  この発明の実施の形態２に係るプリアンプの出力がオーバシュートした場合の積分器動作を説明するための波形図である。
【図７】  この発明の実施の形態２に係るプリアンプの出力にパルスデューティ歪みがあった場合の積分器動作を説明するための波形図である。
【図８】  この発明の実施の形態２に係るバースト光受信器における各部の波形を示した波形図である。
【図９】    この発明の実施の形態２に係るバースト光受信器における各部の波形を示した波形図である。
【図１０】  この発明のバースト光受信器を光イーサーネット通信方式に適用した場合の波形図である。
【図１１】  この発明のバースト光受信器を光イーサーネット通信方式に適用した場合の動作を示すフローチャートである。
【図１２】  従来のバースト光受信器の回路構成を示すブロック図である。
【図１３】  従来のバースト光受信器における各部の波形を示した波形図である。
【図１４】  従来のバースト光受信器における各部の波形を示した波形図である。
【符号の説明】
１  光電変換素子、  ２  プリアンプ、  ３１  ハイレベルピーク検波回路、３２  ローレベルピーク検波回路、  ３３  積分器、  ４  識別器、  ５１，５２  Ａ／Ｄ変換器、  ６  演算部、  ７  Ｄ／Ａ変換器。
【図１】
0004013620.tif 000002
【図２】
0004013620.tif 000003
【図３】
0004013620.tif 000004
【図４】
0004013620.tif 000005
【図５】
0004013620.tif 000006
【図６】
0004013620.tif 000007
【図７】
0004013620.tif 000008
【図８】
0004013620.tif 000009
【図９】
0004013620.tif 000010
【図１０】
0004013620.tif 000011
【図１１】
0004013620.tif 000012
【図１２】
0004013620.tif 000013
【図１３】
0004013620.tif 000014
【図１４】
0004013620.tif 000015